(57)【要約】  本発明は、二次局から一次局に周期的にチャネル品質リポートを送信する方法であって、制御チャネルの送信が、予め決められた周期的な送信フェーズによって不連続的に実施される、方法であって、（ａ）予め決められたパターンに従って、少なくとも第１のタイプ及び第２のタイプのチャネル品質リポートの送信シーケンスの送信をスケジュールするステップと、（ｂ）前記予め決められた時間ウィンドウの前記送信フェーズ中にスケジュールされた前記第２のタイプのチャネル品質リポートの数を算定するステップと、（ｃ）前記予め決められた時間ウィンドウの前記送信フェーズ中にスケジュールされた第２のタイプのチャネル品質リポートの数が、予め決められた閾値より小さい場合、前記第１のタイプであるとスケジュールされた少なくとも１つのチャネル品質リポートを、前記第２のタイプのチャネル品質リポートと置き換えることによって、前記送信シーケンスを修正するステップと、（ｄ）前記一次局に前記修正されたシーケンスを送信するステップと、を含む方法に関する。
2010525716.tif 000002
【特許請求の範囲】
【請求項１】
二次局から一次局へ周期的にチャネル品質リポートを送信する方法であって、制御チャネルの送信が、予め決められた周期的な送信フェーズによって不連続的に実施される、方法であって、
（ａ）予め決められたパターンに従って、少なくとも第１のタイプ及び第２のタイプのチャネル品質リポートの送信シーケンスの送信をスケジュールするステップと、
（ｂ）予め決められた時間ウィンドウの前記送信フェーズ中にスケジュールされた前記第２のタイプのチャネル品質リポートの数を算定するステップと、
（ｃ）前記予め決められた時間ウィンドウの前記送信フェーズ中にスケジュールされた前記第２のタイプのチャネル品質リポートの数が、予め決められた閾値より小さい場合、前記第１のタイプであるとスケジュールされた少なくとも１つのチャネル品質リポートを、前記第２のタイプのチャネル品質リポートと置き換えることによって、前記送信シーケンスを修正するステップと、
（ｄ）前記一次局に前記修正されたシーケンスを送信するステップと、
を含む方法。
【請求項２】
前記ステップ（ｃ）において、前記少なくとも１つの置き換えられる第１のタイプのチャネル品質リポートは、前記予め決められた時間ウィンドウの少なくとも１つの予め決められた周期的な送信フェーズ中にスケジュールされたものである、請求項１に記載の方法。
【請求項３】
前記少なくとも１つの予め決められた周期的な送信フェーズは、前記予め決められた時間ウィンドウの最後の送信フェーズである、請求項２に記載の方法。
【請求項４】
前記ステップ（ｃ）において、前記少なくとも１つの置き換えられる第１のタイプのチャネル品質リポートは、前記予め決められた時間ウィンドウの後の予め決められた周期的な送信フェーズ中にスケジュールされたものである、請求項１に記載の方法。
【請求項５】
前記少なくとも１つの予め決められた周期的な送信フェーズは、前記予め決められた時間ウィンドウの後の最初の送信フェーズである、請求項４に記載の方法。
【請求項６】
前記予め決められた閾値は１である、請求項１乃至５のいずれか１項に記載の方法。
【請求項７】
前記方法は、前記不連続送信の期間が、前記スケジュールされたチャネル品質リポートの送信シーケンスの期間より長く又はそれに等しい場合のみ適用される、請求項１乃至６のいずれか１項に記載の方法。
【請求項８】
前記予め決められた時間ウィンドウの長さは、前記不連続送信の期間の倍数である、請求項１乃至７のいずれか１項に記載の方法。
【請求項９】
前記予め決められた時間ウィンドウの長さは、前記スケジュールされたチャネル品質リポートの送信シーケンスの期間の倍数である、請求項１乃至８のいずれか１項に記載の方法。
【請求項１０】
前記チャネル品質リポートのタイプのうちの１つが、２つのデータストリームに関する値を示す、請求項１乃至９のいずれか１項に記載の方法。
【請求項１１】
前記チャネル品質リポートのタイプのうちの１つが、１つのストリームに関するチャネル品質の値を示す、請求項１乃至１０のいずれか１項に方法。
【請求項１２】
二次局によって送信される周期的なチャネル品質リポートを受信する受信手段であって、制御チャネルの受信が、予め決められた周期的な受信フェーズによって不連続的に実施される、受信手段と、
予め決められたパターンに従って、少なくとも第１のタイプ及び第２のタイプのチャネル品質リポートの受信シーケンスの受信をスケジュールする手段と、
予め決められた時間ウィンドウの前記受信フェーズ中にスケジュールされた前記第２のタイプのチャネル品質リポートの数を算定する手段と、
前記予め決められた時間ウィンドウの前記受信フェーズ中にスケジュールされた前記第２のタイプのチャネル品質リポートの数が、予め決められた閾値より小さい場合、前記第１のタイプであるとスケジュールされた少なくとも１つのチャネル品質リポートを、前記第２のタイプのチャネル品質リポートと置き換えることによって、前記受信シーケンスを修正する手段と、
を有し、前記受信手段は、前記修正されたシーケンスと同様に前記二次局によって送信されるシーケンスを受信するように構成される、一次局。
【請求項１３】
一次局に周期的にチャネル品質リポートを送信する送信手段であって、制御チャネルの送信が、予め決められた周期的な送信フェーズによって不連続的に実施される、送信手段と、
予め決められたパターンに従って、少なくとも第１のタイプ及び第２のタイプのチャネル品質リポートの送信シーケンスの送信をスケジュールする手段と、
予め決められた時間ウィンドウの送信フェーズ中にスケジュールされた前記第２のタイプのチャネル品質リポートの数を算定する手段と、
前記予め決められた時間ウィンドウの前記送信フェーズ中にスケジュールされた前記第２のタイプチャネル品質リポートの数が、予め決められた閾値より小さい場合、前記第１のタイプであるとスケジュールされた少なくとも１つのチャネル品質リポートを、前記第２のタイプのチャネル品質リポートと置き換えることによって、前記送信シーケンスを修正する手段と、
を有し、前記送信手段は、前記一次局に前記修正されたシーケンスを送信するように構成される、二次局。
【請求項１４】
二次局から一次局にチャネル品質リポートを周期的に受信する方法であって、制御チャネルの受信が、予め決められた周期的な受信フェーズによって不連続的に実施される、方法であって、
（ａ）予め決められたパターンに従って、少なくとも第１のタイプ及び第２のタイプのチャネル品質リポートの受信シーケンスの受信をスケジュールするステップと、
（ｂ）予め決められた時間ウィンドウの前記受信フェーズ中にスケジュールされた前記第２のタイプのチャネル品質リポートの数を算定するステップと、
（ｃ）前記予め決められた時間ウィンドウの前記受信フェーズ中にスケジュールされた前記第２のタイプのチャネル品質リポートの数が、予め決められた閾値より小さい場合、前記第１のタイプであるとスケジュールされた前記少なくとも１つのチャネル品質リポートを、前記第２のタイプのチャネル品質リポートと置き換えることによって、前記受信シーケンスを修正するステップと、
（ｄ）前記修正されたシーケンスに基づいて、前記二次局から受信された信号を復号するステップと、
を含む方法。
【発明の詳細な説明】
【技術分野】
【０００１】
本発明は、移動通信ネットワークのような通信ネットワークにおいてチャネル品質リポートを送信する方法に関する。本発明は、例えば、ＵＭＴＳ通信ネットワークに適用可能である。
【背景技術】
【０００２】
ＨＳＤＰＡ（ハイスピードダウンリンクパケットアクセス）データパケットを受け取るように構成される通常の二次局（又は移動局若しくはユーザ機器（ＵＥ））は、その期間がネットワークによって設定される周期的サイクルで、一次局（又は基地局若しくはノードＢ）にチャネル品質インジケータ（ＣＱＩ）フィードバックを送信する。
【０００３】
ＣＰＣモード（連続パケット接続性）において、制御チャネルのオーバヘッドは、データパケットの間で低減され、それにより、制御信号は、周期的なバーストにおいてのみ送られる。これは、制御信号が、断続的に送信される不連続送信（又はＤＴＸ）として知られている。受信もまた、不連続でありえ、これは、不連続受信（又はＤＲＸ）として知られている。
【０００４】
二次局及び一次局を含む通信システムは、複数入力複数出力（ＭＩＭＯ）モードで複数アンテナにより動作することができる。
【０００５】
ＭＩＭＯ及び非ＭＩＭＯモードにおいて、ネットワークが、チャネル品質インジケータフィードバックサイクル期間ｋを、ＣＰＣモードのＤＴＸ及びＤＲＸサイクルとアライメントすることが有利である。
【発明の概要】
【発明が解決しようとする課題】
【０００６】
このアライメントが、ＤＴＸサイクル期間に等しくｋをセットすることを含む場合、ＤＴＸサイクルの送信バーストが、ＣＱＩフィードバックサイクル中のＣＱＩの送信時間とアラインするという条件で、ＣＱＩフィードバックレートは、CQI_DTX_Priorityの値によって影響されない。CQI_DTX_Priorityは、ＤＴＸサイクルの「オフ」期間又はＣＱＩ値の送信が優先するかを制御するパラメータである。例えば、CQI_DTX_Priority=0場合は、制御信号が当該時間にオフに切り換えられるべきであることをＤＴＸパターンが意味するならば、ＣＱＩリポートは、送信されない。他方、CQI_DTX_Priority=1の場合は、ＤＴＸパターンが「オフ」期間を示すとしても、ＣＱＩリポートが送信される。
【０００７】
より有益には、ＤＴＸ／ＤＲＸサイクル期間は、ＣＱＩフィードバックサイクル期間ｋの整数倍であるように設定されることができる。このようにして、CQI_DTX_Priority=1の場合の各パケットの後の時間長さを制御するタイマＣＱＩ＿ＤＴＸ＿ＴＩＭＥＲの適当な設定があるものとして、ＣＱＩフィードバックレートは、パケット送信の間の間隔において低減される。これは、ＵＥスリープ時間の増加及び干渉の低減を可能にする。こうして、電力が節約され、干渉が低減される。これは、例えば、図１に示されている。図１は、ＤＴＸ期間Ｌ＝４サブフレーム及びＣＱＩフィードバックサイクル期間ｋ＝２サブフレームを有し、CQI_DTX_Priorityが０である場合の例について、時間グラフＴ１１、Ｔ１２及びＴ１３を表している。Ｔ１１は、送信フェーズ中、すなわちデータが送信されることができるときは高く、そうでないときは低いＤＴＸパターンを表している。Ｔ１２は、通常の使用において、すなわちＣＰＣモードではなく、スケジュールされるＣＱＩリポートを表す。通常、ＣＱＩリポートは、１サブフレームおきに送信されるべきである。最後に、Ｔ１３は、実際に送信されるＣＱＩリポート、すなわちＤＴＸの送信フェーズと同時に起きるＣＱＩリポート、を表す。
【０００８】
ＤＴＸサイクル期間Ｌが、ｋより長く、ｋの整数倍でない場合、ＣＱＩリポーティングレートのより大きな低減が行われる。
【０００９】
ＵＥがＭＩＭＯモードにない場合に、ＤＴＸサイクル期間がｋより大きいとき、特定のＣＱＩリポートのスキッピングは、（ＣＱＩの低減される利用可能性以外に）特に問題を引き起こさない。
【００１０】
しかしながら、ＵＥがＭＩＭＯモードにあるとき、複数の異なるタイプのＣＱＩリポートが送られることができる。例えば２つの異なるタイプで示されるタイプＡ及びタイプＢは、二次局の好適なストリーム数に関するＰＣＩ／ＣＱＩ（ここでＰＣＩ（Precoding Control Information）は、送信機で適用される好適なビームフォーミング重みを示す）と、シングルストリームに関するＰＣＩ／ＣＱＩと、をそれぞれ示す。従ってＤＴＸサイクルによりいくつかのＣＱＩリポートをスキップすることは、潜在的に、より多くの影響があり、より注意深く考慮される必要がある。実際、ＣＰＣが設定されない場合、一般的なＣＱＩリポーティングパターンは、ＭリポートごとにＮ個のタイプＡリポートを送信することを含むことができる（残りはタイプＢである）。ここでＮ／Ｍは、例えば以下の値をとりうる：{1/2, 2/3, 3/4, 4/5, 5/6, 6/7, 7/8, 8/9, 9/10, 1/1}。
【００１１】
これは、ＤＴＸサイクル期間がｋより長いとき、ＤＴＸサイクル期間が非ＭＩＭＯモードのようにｋの整数倍である場合、１つのタイプのＣＱＩリポートすべてが、スキップされる見込みが高いことを意味する。
【００１２】
例えば、図２に示されるようにＮ／Ｍ＝１／２の場合、ＤＴＸサイクル期間Ｌをｋの任意倍数にセットする結果として、すべてのタイプＡリポートが、スキップされ、又はすべてのタイプＢリポートが、スキップされる（どちらのタイプがスキップされるかは、ＤＴＸサイクルとＣＱＩフィードバックパターンのサイクルとの間の時間オフセットに依存する）。時間グラフＴ２３では、タイプＡのみが、送信され、ＣＱＩリポートの送信のスケジュールを表わす時間グラフＴ２２からのすべてのタイプＢのＣＱＩリポートがスキップされる。
【００１３】
一般に、ＤＴＸサイクルをＭｋの任意の整数倍にセットする結果として、１つのタイプのすべてのＣＱＩリポートがスキップされる。例えば、Ｎ／Ｍ＝３／４である場合、ＤＴＸサイクル期間を４ｋにセットすることにより、すべての送信されるＣＱＩリポートが同一になる。
【００１４】
CQI_DTX_Priorityが変えられるたびにＮ／Ｍを設定しなおすことは、実際的でなく、通常モードとＤＴＸモードとの間の遷移のための遅い上位層の信号伝送を回避するというＣＰＣの精神と相反する。
【００１５】
別の可能性は、ＭＩＭＯモードが二次局について設定される場合、Ｎ／Ｍ値の２つの組を設定することである。しかしながら、Ｎ／Ｍの第２の組は、ＣＰＣ及びＭＩＭＯの両方が設定されるときに必要とされるだけであるので、これは問題がある。これらの２つのフィーチャのための制御信号は独立しているので、Ｎ／Ｍ値の第２の組を含めるべき明白な制御信号メッセージがない。
【００１６】
解決策は、１つのタイプのＣＱＩリポートのすべてがＤＴＸサイクルによって失われることを防ぐ物理層ルールを規定することである。１つの新しいルールは、ＤＴＸがアクティブであるときに、ＣＱＩリポートのタイプを、接続フレーム番号（ＣＦＮ）ではなく実際に送信されるリポートに依存させることである。
【００１７】
しかしながら、これは、接続フレーム番号に対するすべての関係を失う。事実、タイプＡ及びタイプＢのどちらが送られるべきであるかの既存の規定は、二次局及び一次局の両方に知られている接続フレーム番号から直接的に得られ、それにより、一次局は、各フレームにおいてどのタイプのＣＱＩを期待すべきかを正確に知る。ＣＦＮに対するすべての関係を失うことにより、これは、二次局がＣＱＩリポートのどのタイプを送信しているかに関して、一次局が「同期を失う」の可能性を高め、従って、一次局で受信されるＣＱＩリポートの復号の誤り率を高める。
【００１８】
本発明の目的は、簡単であって、二次局によって送信されるチャネル品質リポートのタイプの、一次局による同期の失敗を回避することを可能にする、チャネル品質リポートを送信する方法を提案することである。
【００１９】
本発明の別の目的は、予め決められた時間ウィンドウ内に、すべての起こりうるタイプのチャネル品質情報を送ることを可能にする方法を提案することである。
【課題を解決するための手段】
【００２０】
このために、本発明によれば、二次局から一次局に周期的にチャネル品質リポートを送信する方法であって、制御チャネルの送信が、予め決められた周期的な送信フェーズによって不連続的に実施される、方法であって、
（ａ）予め決められたパターンに従って、少なくとも第１のタイプ及び第２のタイプのチャネル品質リポートの送信シーケンスの送信をスケジュールするステップと、
（ｂ）予め決められた時間ウィンドウの送信フェーズ中にスケジュールされた第２のタイプのチャネル品質リポートの数を算定するステップと、
（ｃ）予め決められた時間ウィンドウの送信フェーズ中にスケジュールされた第２のタイプのチャネル品質リポートの数が、予め決められた閾値より小さい場合、第１のタイプであるとスケジュールされた少なくとも１つのチャネル品質リポートを、第２のタイプのチャネル品質リポートと置き換えることによって、送信シーケンスを修正するステップと、
（ｄ）一次局に、修正されたシーケンスを送信するステップと、
を含む方法が提案される。
【００２１】
こうして、接続フレーム番号（ＣＦＮ）に従って、２つのタイプのチャネル品質リポートを送信するための既存の周期的なルールを維持するが、付加的に、ＤＴＸパターンがそうでなければ他のタイプのＣＱＩリポートを排除する場合に、他のタイプのＣＱＩリポートの１つが時々送られることを強いることが提案される。この方法は、リポートを受け取るために受信側で同様に適用されることができ、それにより、一次局は、同期を失い得ない。更に、本発明は、実現するのが簡単である。
【００２２】
この方法は、リポートＭの数が、タイプＡのリポートの数Ｎより大きく（すなわち１／１でない）、DTX_cycle≧M.k'である（すなわちＤＴＸサイクルが、１又は他のタイプのすべてのＣＱＩリポートを失わせる可能性を有する）場合にのみ、適用されるように制限されることもできる。
【００２３】
本発明によれば、ＤＴＸサイクルと結合される各タイプのＣＱＩを送信するための予め決められたシーケンスは、結果的に、ＣＱＩタイプの総数より少ない数が、特定の時間ウィンドウ内に送信されるようにし、その代わりに、ＣＱＩリポーティング機会のいくつかが、周期的なルールによって示されるＣＱＩタイプに関係なく、さもなければ前記ウィンドウ内に送信されないであろうＣＱＩタイプのために強制的に使用される。
【００２４】
本発明の別の見地によれば、
二次局によって送信される周期的なチャネル品質リポートを受け取る受信手段であって、制御チャネルの受信が、予め決められた周期的な受信フェーズによって不連続的に実施される、受信手段と、
予め決められたパターンに従って、少なくとも第１のタイプ及び第２のタイプのチャネル品質リポートの受信シーケンスの受信をスケジュールする手段と、
予め決められた時間ウィンドウの受信フェーズ中にスケジュールされた第２のタイプのチャネル品質リポートの数を算定する手段と、
予め決められた時間ウィンドウの受信フェーズ中にスケジュールされた第２のタイプのチャネル品質リポートの数が、予め決められた閾値より小さい場合、第１のタイプであるとスケジュールされた少なくとも１つのチャネル品質リポートを、第２のタイプのチャネル品質リポートと置き換えることによって、受信シーケンスを修正する手段と、
を有し、前記受信手段は、修正されたシーケンスと同様に二次局によって送信されるシーケンスを受信するように構成される、一次局が提案される。
【００２５】
本発明の更に別の見地によれば、
一次局に周期的にチャネル品質リポートを送信する送信手段であって、制御チャネルの送信が、予め決められた周期的な送信フェーズによって不連続的に実施される、送信手段と、
予め決められたパターンに従って、少なくとも第１のタイプ及び第２のタイプのチャネル品質リポートの送信シーケンスの送信をスケジュールする手段と、
予め決められた時間ウィンドウの送信フェーズ中にスケジュールされた第２のタイプのチャネル品質リポートの数を算定する手段と、
予め決められた時間ウィンドウの送信フェーズ中にスケジュールされた第２のタイプのチャネル品質リポートの数が、予め決められた閾値より小さい場合、第１のタイプであるとスケジュールされた少なくとも１つのチャネル品質リポートを、第２のタイプのチャネル品質リポートと置き換えることによって、送信シーケンスを修正する手段と、
を有し、前記送信手段は、一次局に修正されたシーケンスを送信するように構成される、二次局が提案される。
【００２６】
本発明の更に別の見地によれば、二次局から一次局にチャネル品質リポートを周期的に受信する方法であって、制御チャネルの受信が、予め決められた周期的な受信フェーズによって不連続的に実施される、方法であって、
（ａ）予め決められたパターンに従って、少なくとも第１のタイプ及び第２のタイプのチャネル品質リポートの受信シーケンスの受信をスケジュールするステップと、
（ｂ）予め決められた時間ウィンドウの受信フェーズ中にスケジュールされた第２のタイプのチャネル品質リポートの数を算定するステップと、
（ｃ）予め決められた時間ウィンドウの受信フェーズ中にスケジュールされた第２のタイプのチャネル品質リポートの数が、予め決められた閾値より小さい場合、第１のタイプであるとスケジュールされた少なくとも１つのチャネル品質リポートを、第２のタイプのチャネル品質リポートと置き換えることによって、受信シーケンスを修正するステップと、
（ｄ）修正されたシーケンスに基づいて、二次局から受信された信号を復号するステップと、
を含む方法が提案される。
【００２７】
本発明のこれら及び他の見地は、以下に記述される実施例から明らかであり、それらを参照して説明される。
【００２８】
更に本発明によれば、二次局から一次局に周期的にチャネル品質リポートを送信する方法であって、制御チャネルの送信が、予め決められた周期的な送信フェーズによって不連続的に実施される、方法であって、
（ａ）第１の予め決められたパターンに従って、少なくとも第１のタイプ及び第２のタイプのチャネル品質リポートの送信シーケンスの送信をスケジュールするステップと、
（ｂ）第２の予め決められたパターンに従って、前記２つのタイプのうち少なくとも一方の少なくとも１つのチャネル品質リポートの送信をスケジュールするステップと、
（ｃ）第２の予め決められたパターンの少なくとも１つのチャネル品質レポートと同時に起きる第１の予め決められたパターンの少なくとも１つのチャネル品質レポートを、第１の予め決められたパターンによって示されるタイプに関わらず、第２の予め決められたパターンによって示されるタイプであるようにセットすることによって、送信シーケンスを修正するステップと、
（ｄ）一次局に修正されたーケンスを送信するステップと、
を含む方法が提案される。
【００２９】
有利には、第２の予め決められたパターンは、周期的な送信パターンの期間の倍数である期間を有する；この場合、第２の予め決められたパターンの期間が周期的な送信パターンの倍数である該周期的な送信パターンが、有利には、上述の予め決められた周期的な送信フェーズの期間であり、その倍数であり、又はその何分の１かでありうる。
【００３０】
本発明は、添付の図面を参照して例示によってより詳しく記述される。
【図面の簡単な説明】
【００３１】
【図１】従来の通信システムの場合のリポート送信を表す時間グラフ。
【図２】従来の通信システムの場合のリポート送信を表す時間グラフ。
【図３】本発明による通信システムの場合のリポート送信を表す時間グラフ。
【図４】本発明による通信システムを表すブロック図。
【発明を実施するための形態】
【００３２】
本発明は、例えば基地局のような一次局１００及び例えば移動局のような少なくとも１つの二次局２００を有する図４に示されるような通信システム３００に関する。
【００３３】
無線システム３００は、複数の一次局１００及び／又は複数の二次局２００を有することができる。一次局１００は、送信機手段１１０及び受信手段１２０を有する。送信機手段１１０の出力部及び受信手段１２０の入力部は、結合手段１４０によってアンテナ１３０に結合され、結合手段１４０は、例えばサーキュレータ又は切り換えスイッチでありうる。送信機手段１１０及び受信手段１２０には、例えばプロセッサでありうる制御手段１５０が結合される。二次局２００は、送信機手段２１０及び受信手段２２０を有する。送信機手段２１０の出力部及び受信手段２２０の入力部は、結合手段２４０によってアンテナ２３０に結合され、結合手段２４０は、例えばサーキュレータ又は切り換えスイッチでありうる。送信機手段２１０及び受信手段２２０には、例えばプロセッサでありうる制御手段２５０が結合される。一次無線局１００から二次局２００への送信は、第１のチャネル１６０において行われ、二次無線局２００から一次無線局１００への送信は、第２のチャネル２６０において行われる。
【００３４】
これらの一次局及び二次局は、例えばそれぞれＵＭＴＳ基地局及び移動局であり、いずれの局も、通信のＭＩＭＯモードに従って通信することが可能である。上述されたように、２つのタイプのチャネル品質フィードバックが、二次局から一次局に送られることができる。これらのタイプは、以下でありうる：
タイプＡ。タイプＡは、二次局が１つのストリームを受け取りたい場合、例えば約３０値から選択される１つのストリームのチャネル品質の値を示し、又はＵＥが２つのストリームを受け取りたい場合、各々が１５値から選択される２つのストリームの各々に関するチャネル品質の値を示す。この情報は、８ビット符号語によって表現される；
タイプＢ。タイプＢは、５ビット符号語によって示される約３０値から選択される、１つのストリームのチャネル品質の値を示す。
【００３５】
本発明によれば、二次局は、通常のやり方で、データストリームの品質を示すチャネル品質リポートのシーケンスを送ることをスケジュールする（図３のＴ３２を参照）。二次局は、このスケジューリングを、ＤＴＸすなわち不連続送信パターン（Ｔ３１を参照）と比較し、何個のタイプＡリポート及びタイプＢリポートがこのパターンにより予め決められた時間期間内に実際に送られるかを算定する。この算定により、二次局は、各タイプの数が十分であるかどうかを知り、必要な場合、一方のタイプのＣＱＩリポートを別のタイプのＣＱＩリポートと置き換えることにより、スケジューリングを修正する。
【００３６】
こうして、本実施例において、二次局は、それが前記特定の時間ウィンドウＰ内にチャネル品質リポートを送信することができる機会の数を予測するために、予め決められたＤＴＸサイクルＬ及びＣＱＩフィードバックサイクルｋを使用する。二次局は、この予測に基づいて、本発明に従って、ＣＱＩリポーティング機会のうちどれが、予め決められたＣＱＩフィードバックサイクルによってセットされたタイプ以外のＣＱＩタイプのために使用されるかを決定する。同じルールが、ＣＱＩ値の受信を支援するために、ノードＢにおいて適用されることができる。
【００３７】
２つのＣＱＩタイプ、すなわちタイプＡ及びタイプＢ、が送信されようとするこの例において、本発明の一実施例は、例えば以下のルールを用いることができる：
【００３８】
３Ｌ（Ｌは、ＤＴＸ＿ｃｙｃｌｅ長である）に等しい期間Ｐの間、一方のＣＱＩタイプのみが送信される場合、当該期間中の最後に送信されるＣＱＩ値が、自動的に他方のタイプになる。
【００３９】
値「３」は、合理的なようにみえるが異なってもよく、又は通知若しくは他のルールによって設定可能でありえる。
【００４０】
より具体的には、図４に示されるように、ＤＴＸパターンＴ３１と組み合わせられるスケジューリングＴ３２は、タイプＡのＣＱＩリポートを送信するのみとなる。タイプＢのＣＱＩリポートが送られないので、スケジュールは以下のように修正される：最初の２つのリポート３３１及び３３２は、タイプＡリポートのままであるが、３番目のリポート３３３は、タイプＢリポートに修正される。このＣＱＩリポートは、通常はタイプＡであるが、当該期間が、タイプＡリポートのみを含むので、最後のリポートが、タイプＢに変更される。
【００４１】
こうして、すべてのリポートタイプが、期間Ｐ内に送信されるが、ＣＱＩリポートのパターンは、接続フレーム番号（ＣＦＮ）にアラインされたたままであることを確実にする。
【００４２】
本発明は、ＣＱＩリポートの２つの異なるタイプのみに制限されず、より多数のタイプに関して実現されることができる。
【００４３】
例えば周期的でありえ及び／又は各ＣＱＩタイプの１つをとりうる予め決められたシーケンスに従って、又は、ＣＱＩの或るタイプの１又は複数の値のシーケンスの後にＣＱＩの別のタイプの１又は複数の値のシーケンスが続くようにして、Ｔ個のＣＱＩタイプが、送信される必要がある例を考える。特定の時間ウィンドウ（一般に、ＤＴＸサイクルよりかなり長い）において、予め決められたＤＴＸサイクルと組み合わせられるＣＱＩタイプの予め決められたシーケンスは、前記時間ウィンドウの間、Ｔ個のＣＱＩタイプのうちｘ個の送信を妨げることがありうる。従って、二次局は、ｘ個のＣＱＩ送信機会を予約し、それらを使用して、さもなければ送られることができない各ＣＱＩタイプの１つを送る。
【００４４】
ｘ個の予約されたＣＱＩ送信機会は、例えば前記時間ウィンドウ内の最後のｘ個の機会でありえ、次の時間ウィンドウ内の最初の機会でありえ、時間ウィンドウを通じて等間隔に配置され得、又はなんらかの他のパターンでありえる。
【００４５】
一次局及び二次局が、常に同じリスケジュールを得ることができるように、系統的な関係が与えられることができる。例えば、通常のＣＱＩリポーティングパターンは、以下のように記述されることができる：
2010525716.tif 000003
が当てはまる場合、ＵＥは、タイプＡのＣＱＩ値をリポートする。上式で、CFN_DRXは、接続フレーム番号を表し、UE_DTX_DRX_Offsetは、不連続送信及び不連続受信パターンを設定する際に使用されるオフセットを表し、ＦＮは、フレーム番号であり、modは、「モジュロ」数学関数であり、M_cqiは、時間期間内のＣＱＩの数であり、N_cqi_type Aは、予め決められた期間中のタイプＡのＣＱＩリポートの数である。他の場合、ＵＥは、本発明の例に従って以下の例外を有して、タイプＢのＣＱＩ値をリポートするべきである：
【００４６】
M_cqi>N_cqi_type Aであり、ここでDTX_cycle_currと示される現在のアップリンクＤＰＣＣＨ送信パターン長が、M_cqi.kより大きく又はそれに等しい場合であって、((CFN_DRX - UE_DTX_DRX_Offset + FN) mod (DTX_cycle_curr)) = 0のときに始まるDTX_cycle_currサブフレームの３倍の長さの期間中に１つのタイプのＣＱＩリポートのみが送信される場合、DTX_cycle_currサブフレームの３倍の長さの上述の期間中の最後に送信されるＣＱＩリポートは、さもなければ送信されないタイプである。同じ挙動が、サブフレームのようなより短い時間単位で記述されることもできる。例えば、１つのフレームが、５つのサブフレームを含み、その場合、上述の式は、((5*CFN_DRX - UE_DTX_DRX_Offset + SFN ) mod (DTX_cycle_curr)) = 0 になり、ここで、SFNは、サブフレーム数を示す。
【００４７】
更に、前記特定の時間期間及び／又は各タイプのＣＱＩリポートの前記必要な数は、予め決められることができ、又はネットワークによってＵＥに通知されることができ、又は別のルールに従って決定されることができることが有利でありえる：例えば、ある時間期間にわたるチャネル品質の尺度に依存して、又はＣＱＩの特定のタイプに対応するストリームの数が実際に送信された又は受信された機会の数又は割合に依存して、ＵＥ及び／又はノードＢは、ＣＱＩリポートの各タイプの「必要な数」及び／又は前記特定の時間期間を調整することができる。例えば、時間ウィンドウ内の送信の高い割合が、デュアルストリームであった場合、シングルストリーム送信に対応するタイプのＣＱＩリポートの必要な数が、低減されることができる。一実施例において、シーケンスにおいて修正されるリポートは、予め決められる。例えば、それは、時間ウィンドウの最後のリポート、すなわち時間ウィンドウの最後の送信フェーズにおけるリポート、でありえる。他方、これは、代替として、次の時間ウィンドウ内で行われることもでき、例えば検討された時間ウィンドウの後の最初の送信フェーズにおいて行われることができる。
【００４８】
この方法は、例えば、不連続送信の期間Ｌが、チャネル品質リポートのスケジュールされた送信シーケンスの期間ｋより長い又はそれに等しい場合にのみ適用される。
【００４９】
予め決められた時間ウィンドウＰの長さは、不連続送信Ｌの期間の倍数であることが有利である。同様に、予め決められた時間ウィンドウＰの長さは、チャネル品質リポートｋのスケジュールされた送信シーケンスの期間の倍数であってもよい。
【００５０】
別の実施例において、予め決められた時間ウィンドウ内の特定のＣＱＩリポートは、予め決められた時間ウィンドウ内のシーケンス内のリポートの任意のものがタイプの１つであるか否かに関わらず、特定のタイプであるように規定される。
【００５１】
一実施例において、好適な時間ウィンドウは、グループに構成され、対の第１の予め決められた時間ウィンドウ内の特定の送信されるＣＱＩリポートが、一方のタイプであり、グループの別の予め決められた時間ウィンドウ内の特定の送信されるＣＱＩリポートが、別のタイプであるように規定される。有利には、グループは対でありえ、第１のウィンドウ内の最初のＣＱＩリポートが、一方のタイプであり、第２のウィンドウ内の最後のＣＱＩリポートが、他方のタイプである。各ウィンドウ内の最初に送信される位置のような、他の選択肢もまた使用されることができる。
【００５２】
本明細書及び請求項において、構成要素の前の不定冠詞は、このような構成要素の複数の存在を除外しない。更に、「有する」なる語は、挙げられたもの以外の構成要素又はステップの存在を除外しない。
【００５３】
本発明は、二次局から一次局へのＣＱＩリポーティングに関して記述されたが、一次局から二次局へのリポーティング又はピアノードの間のリポーティングのような他の構成にも等しく適用可能である。
【００５４】
請求項における括弧内の参照符号の包含は、理解を助けることが意図されており、制限することが意図されるものではない。
【００５５】
本開示を読み込むことから、他の変形が、当業者には明らかであろう。このような変形は、無線通信の分野及び送信機電力制御の分野において既に知られている他のフィーチャであって、ここに既に記述されたフィーチャの代わりに又はそれらに加えて使用されることができる他のフィーチャを含むことができる。
【図１】
2010525716.tif 000004
【図２】
2010525716.tif 000005
【図３】
2010525716.tif 000006
【図４】
2010525716.tif 000007
【国際調査報告】
2010525716.tif 000008
2010525716.tif 000009
2010525716.tif 000010